(57)【要約】  本出願は、信号伝送方法および機器を開示し、前記方法は、送信ノードが送信要求信号を受信ノードに送信することであって、前記送信要求信号は、送信許可信号を伝送するために使用される構成情報を含むことと、前記送信ノードが、前記受信ノードが前記構成情報に従って送信した前記送信許可信号を受信することとを含む。
2021517758.tif 000002
【特許請求の範囲】
【請求項１】
信号伝送方法であって、
送信ノードが送信要求信号を受信ノードに送信することであって、前記送信要求信号は、送信許可信号を伝送するために使用される構成情報を含むことと、
前記送信ノードが、前記受信ノードが前記構成情報に従って送信した前記送信許可信号を受信することとを含む、前記信号伝送方法。
【請求項２】
前記送信要求信号は、少なくとも、前記受信ノードとのデータ伝送の実行を要求するために使用され、前記送信許可信号は、少なくとも、前記送信ノードと前記受信ノードとのデータ伝送の実行を許可することを指示する、
請求項１に記載の信号伝送方法。
【請求項３】
前記構成情報は、Ｎ（Ｎは正の整数である）個の候補ビームの指示情報、および／または、Ｎ個の候補ビームのそれぞれに対応する送信許可信号の送信時間情報を含む、
請求項１または２に記載の信号伝送方法。
【請求項４】
前記Ｎ個の候補ビームにおける各候補ビームの指示情報は、前記各候補ビームとの準コロケーション（ＱＣＬ）関係を満たす参考信号の信号インデックスを含む、
請求項３に記載の信号伝送方法。
【請求項５】
前記Ｎ個の候補ビームにおける各候補ビームに対応する送信許可信号の送信時間は、前記各候補ビームを使用して送信許可信号を送信すると仮定する場合に占有する時間を含む、
請求項３または４に記載の信号伝送方法。
【請求項６】
2021517758.tif 000014
【請求項７】
前記送信ノードが、前記受信ノードが前記構成情報に従って送信した送信許可信号を受信することは、
前記送信ノードが、前記Ｎ個の送信許可信号の送信時間のシーケンスに応じて、順次に前記Ｎ個の送信許可信号の送信時間に対応するＮ個の候補ビームで、送信許可信号が検出されるまで、または、前記Ｎ個の送信許可信号の送信時間における最後の送信許可信号の送信時間が終了する前に送信許可信号が検出されるまで、前記送信許可信号を検出することを含む、
請求項６に記載の信号伝送方法。
【請求項８】
2021517758.tif 000015
【請求項９】
前記送信ノードが、前記受信ノードが前記構成情報に従って送信した送信許可信号を受信することは、
前記送信ノードが、前記重複する送信許可信号の送信時間内で、同時に前記Ｎ個の候補ビーム上で前記送信許可信号を検出することを含む、
請求項８に記載の信号伝送方法。
【請求項１０】
信号伝送方法であって、
受信ノードが、送信ノードによって送信された送信要求信号を受信することであって、前記送信要求信号は、送信許可信号を伝送するために使用される構成情報を含むことと、
前記受信ノードが、前記構成情報に従って、前記送信許可信号を前記送信ノードに送信することとを含む、前記信号伝送方法。
【請求項１１】
前記送信要求信号は、少なくとも、前記受信ノードとのデータ伝送の実行を要求するために使用され、前記送信許可信号は、少なくとも、前記送信ノードと前記受信ノードとのデータ伝送の実行を許可することを指示する、
請求項１０に記載の信号伝送方法。
【請求項１２】
前記構成情報は、Ｎ（Ｎは正の整数である）個の候補ビームの指示情報、および／または、Ｎ個の候補ビームのそれぞれに対応する送信許可信号の送信時間情報を含む、
請求項１０または１１に記載の信号伝送方法。
【請求項１３】
前記Ｎ個の候補ビームにおける各候補ビームの指示情報は、前記各候補ビームとの準コロケーション（ＱＣＬ）関係を満たす参考信号の信号インデックスを含む、
請求項１２に記載の信号伝送方法。
【請求項１４】
前記Ｎ個の候補ビームにおける各候補ビームに対応する送信許可信号の送信時間は、前記各候補ビームを使用して送信許可信号を送信すると仮定する場合に占有する時間を含む、
請求項１２または１３に記載の信号伝送方法。
【請求項１５】
前記受信ノードが前記送信許可信号を前記送信ノードに送信する前に、前記方法は、
前記受信ノードが、参照信号に対して信号測定を実行することにより取得された測定結果、および／または、ビームに対してキャリアセンシングを実行することにより取得されたセンシング結果に従って、前記Ｎ個の候補ビームにおいてターゲットビームを選択することをさらに含み、
前記受信ノードが、前記送信許可信号を前記送信ノードに送信することは、
前記受信ノードが、前記ターゲットビームを使用して前記送信許可信号を前記送信ノードに送信することを含む、
請求項１０ないし１４のいずれか一項に記載の信号伝送方法。
【請求項１６】
前記ターゲットビームは、
前記Ｎ個の候補ビームのうち、チャネルがアイドル状態であることがセンシングされるビーム、または、
前記Ｎ個の候補ビームのうち、最適な参考信号の測定結果を有するビーム、または、
前記チャネルがアイドル状態であることがセンシングされるビームのうち、最適な参考信号の測定結果を有するビームである、
請求項１５に記載の信号伝送方法。
【請求項１７】
2021517758.tif 000016
【請求項１８】
前記受信ノードが、前記構成情報に従って、前記送信許可信号を前記送信ノードに送信することは、
前記受信ノードが、ターゲットビームに対応する送信許可信号の送信時間内で、前記ターゲットビームを使用して前記送信許可信号を前記送信ノードに送信することを含む、
請求項１７に記載の信号伝送方法。
【請求項１９】
2021517758.tif 000017
【請求項２０】
前記受信ノードが、前記構成情報に従って、前記送信許可信号を前記送信ノードに送信することは、
前記受信ノードが、前記重複する送信許可信号の送信時間内で、ターゲットビームを使用して前記送信許可信号を前記送信ノードに送信することを含む、
請求項１９に記載の信号伝送方法。
【請求項２１】
送信ノード機器であって、
送信要求信号を受信ノード機器に送信するように構成される送受信ユニットを備え、前記送信要求信号は、送信許可信号を伝送するために使用される構成情報を含み、
前記送受信ユニットは、さらに、前記受信ノード機器が前記構成情報に従って送信した前記送信許可信号を受信するように構成される、前記送信ノード機器。
【請求項２２】
前記送信要求信号は、少なくとも、前記受信ノード機器とのデータ伝送の実行を要求するために使用され、前記送信許可信号は、少なくとも、前記送信ノード機器と前記受信ノード機器とのデータ伝送の実行を許可することを指示する、
請求項２１に記載の送信ノード機器。
【請求項２３】
前記構成情報は、Ｎ（Ｎは正の整数である）個の候補ビームの指示情報、および／または、Ｎ個の候補ビームのそれぞれに対応する送信許可信号の送信時間情報を含む、
請求項２１または２２に記載の送信ノード機器。
【請求項２４】
前記Ｎ個の候補ビームにおける各候補ビームの指示情報は、前記各候補ビームとの準コロケーション（ＱＣＬ）関係を満たす参考信号の信号インデックスを含む、
請求項２３に記載の送信ノード機器。
【請求項２５】
前記Ｎ個の候補ビームにおける各候補ビームに対応する送信許可信号の送信時間は、前記各候補ビームを使用して送信許可信号を送信すると仮定する場合に占有する時間を含む、
請求項２３または２４に記載の送信ノード機器。
【請求項２６】
2021517758.tif 000018
【請求項２７】
前記送受信ユニットは、具体的に、
前記Ｎ個の送信許可信号の送信時間のシーケンスに応じて、順次に前記Ｎ個の送信許可信号の送信時間に対応するＮ個の候補ビーム上で、送信許可信号が検出されるまで、または、前記Ｎ個の送信許可信号の送信時間における最後の送信許可信号の送信時間が終了する前に送信許可信号が検出されるまで、前記送信許可信号を検出するように構成される、
請求項２６に記載の送信ノード機器。
【請求項２８】
2021517758.tif 000019
【請求項２９】
前記送受信ユニットは、具体的に、
前記重複する送信許可信号の送信時間内で、同時に前記Ｎ個の候補ビーム上で前記送信許可信号を検出するように構成される、
請求項２８に記載の送信ノード機器。
【請求項３０】
受信ノード機器であって、
送信ノード機器によって送信された送信要求信号を受信するように構成される送受信ユニットを備え、前記送信要求信号は、送信許可信号を伝送するために使用される構成情報を含み、
前記送受信ユニットは、さらに、前記構成情報に従って、前記送信許可信号を前記送信ノード機器に送信するように構成される、前記受信ノード機器。
【請求項３１】
前記送信要求信号は、少なくとも、前記受信ノード機器とのデータ伝送の実行を要求するために使用され、前記送信許可信号は、少なくとも、前記送信ノード機器と前記受信ノード機器とのデータ伝送の実行を許可することを指示する、
請求項３０に記載の受信ノード機器。
【請求項３２】
前記構成情報は、Ｎ（Ｎは正の整数である）個の候補ビームの指示情報、および／または、Ｎ個の候補ビームのそれぞれに対応する送信許可信号の送信時間情報を含む、
請求項３０または３１に記載の受信ノード機器。
【請求項３３】
前記Ｎ個の候補ビームにおける各候補ビームの指示情報は、前記各候補ビームとの準コロケーション（ＱＣＬ）関係を満たす参考信号の信号インデックスを含む、
請求項３２に記載の受信ノード機器。
【請求項３４】
前記Ｎ個の候補ビームにおける各候補ビームに対応する送信許可信号の送信時間は、前記各候補ビームを使用して送信許可信号を送信すると仮定する場合に占有する時間を含む、
請求項３２または３３に記載の受信ノード機器。
【請求項３５】
前記受信ノード機器は、
参照信号に対して信号測定を実行することにより取得された測定結果、および／または、ビームに対してキャリアセンシングを実行することにより取得されたセンシング結果に従って、前記Ｎ個の候補ビームにおいてターゲットビームを選択するように構成される処理ユニットをさらに備える、
前記送受信ユニットは、具体的に、
前記ターゲットビームを使用して前記送信許可信号を前記送信ノード機器に送信するように構成される、
請求項３０ないし３４のいずれか一項に記載の受信ノード機器。
【請求項３６】
前記ターゲットビームは、
前記Ｎ個の候補ビームのうち、チャネルがアイドル状態であることがセンシングされるビーム、または、
前記Ｎ個の候補ビームのうち、最適な参考信号の測定結果を有するビーム、または、
前記チャネルがアイドル状態であることがセンシングされるビームのうち、最適な参考信号の測定結果を有するビームである、
請求項３５に記載の受信ノード機器。
【請求項３７】
2021517758.tif 000020
【請求項３８】
前記送受信ユニットは、具体的に、
ターゲットビームに対応する送信許可信号の送信時間内で、前記ターゲットビームを使用して前記送信許可信号を前記送信ノードに送信するように構成される、
請求項３７に記載の受信ノード機器。
【請求項３９】
前記Ｎ個の候補ビームに対応するＮ個の送信許可信号の送信時間は重複し、且つ前記重複する送信許可信号の送信時間と送信要求信号の送信時間との間の時間間隔はＴ１である、
請求項３２ないし３６のいずれか一項に記載の受信ノード機器。
【請求項４０】
前記送受信ユニットは、具体的に、
前記重複する送信許可信号の送信時間内で、ターゲットビームを使用して前記送信許可信号を前記送信ノード機器に送信するように構成される、
請求項３９に記載の受信ノード機器。
【発明の詳細な説明】
【技術分野】
【０００１】
本出願の実施例は、通信分野に関し、より具体的に、信号伝送方法および機器に関する。
【背景技術】
【０００２】
５Ｇシステムは、無認可周波数帯域におけるデータ伝送をサポートし、送信ノードは、受信ノードとの通信を要求するために、送信信号を受信ノードに送信することができ、受信ノードは、送信ノードが受信ノードとデータを伝送することができるように指示するために、信号を受信ノードに返信し、送信ノードは、受信ノードによって返信された信号を受信するときにのみ、受信ノードとデータを伝送することができる。したがって、無認可周波数帯域における、送信ノードと受信ノード間の信号伝送効率を向上させる方法は、解決しようとする課題である。
【発明の概要】
【発明が解決しようとする課題】
【０００３】
本出願の実施例は、無認可周波数帯域上での送信ノードと受信ノードの間の信号伝送効率を向上させることができる、信号伝送方法および機器を提供する。
【課題を解決するための手段】
【０００４】
第１態様によれば、信号伝送方法を提供し、前記方法は、送信ノードが送信要求信号を受信ノードに送信することであって、前記送信要求信号は、送信許可信号を伝送するために使用される構成情報を含むことと、前記送信ノードが、前記受信ノードが前記構成情報に従って送信した前記送信許可信号を受信することとを含む。
【０００５】
したがって、送信ノードは、送信要求信号を受信ノードに送信する場合、送信許可信号を伝送するために使用される構成情報を搬送することにより、受信ノードが当該構成情報に基づいて当該送信許可信号を送信ノードに送信することができ、且つ送信ノードが当該構成情報に基づいて当該送信許可信号を検出することができるようにし、それにより、送信ノードと受信ノードの間の信号伝送効率を向上させる。
【０００６】
一可能な実施形態において、前記送信要求信号は、少なくとも、前記受信ノードとのデータ伝送の実行を要求するために使用され、前記送信許可信号は、少なくとも、前記送信ノードと前記受信ノードとのデータ伝送の実行を許可することを指示する。
【０００７】
一可能な実施形態において、前記構成情報は、Ｎ（Ｎは正の整数である）個の候補ビームの指示情報、および／または、Ｎ個の候補ビームのそれぞれに対応する送信許可信号の送信時間情報を含む。
【０００８】
一可能な実施形態において、前記Ｎ個の候補ビームにおける各候補ビームの指示情報は、前記各候補ビームとの準コロケーション（ＱＣＬ）関係を満たす参考信号の信号インデックスを含む。
【０００９】
一可能な実施形態において、前記Ｎ個の候補ビームにおける各候補ビームに対応する送信許可信号の送信時間は、前記各候補ビームを使用して送信許可信号を送信すると仮定する場合に占有する時間を含む。
【００１０】
2021517758.tif 000003
【００１１】
一可能な実施形態において、前記送信ノードが、前記受信ノードが前記構成情報に従って送信した送信許可信号を受信することは、前記送信ノードが、前記Ｎ個の送信許可信号の送信時間のシーケンスに応じて、順次に前記Ｎ個の送信許可信号の送信時間に対応するＮ個の候補ビーム上で、送信許可信号が検出されるまで、または、前記Ｎ個の送信許可信号の送信時間における最後の送信許可信号の送信時間が終了する前に送信許可信号が検出されるまで、前記送信許可信号を検出することを含む。
【００１２】
2021517758.tif 000004
【００１３】
一可能な実施形態において、前記送信ノードが、前記受信ノードが前記構成情報に従って送信した送信許可信号を受信することは、前記送信ノードが、前記重複する送信許可信号の送信時間内で、同時に前記Ｎ個の候補ビーム上で前記送信許可信号を検出することを含む。
【００１４】
第２態様によれば、信号伝送方法を提供し、前記方法は、受信ノードが、送信ノードによって送信された送信要求信号を受信することであって、前記送信要求信号は、送信許可信号を伝送するために使用される構成情報を含むことと、前記受信ノードが、前記構成情報に従って、前記送信許可信号を前記送信ノードに送信することとを含む。
【００１５】
したがって、送信ノードは、送信要求信号を受信ノードに送信する場合、送信許可信号を伝送するために使用される構成情報を搬送することにより、受信ノードが当該構成情報に基づいて当該送信許可信号を送信ノードに送信することができ、且つ送信ノードが当該構成情報に基づいて当該送信許可信号を検出することができるようにし、それにより、送信ノードと受信ノードの間の信号伝送効率を向上させる。
【００１６】
一可能な実施形態において、前記送信要求信号は、少なくとも、前記受信ノードとのデータ伝送の実行を要求するために使用され、前記送信許可信号は、少なくとも、前記送信ノードと前記受信ノードとのデータ伝送の実行を許可することを指示する。
【００１７】
一可能な実施形態において、前記構成情報は、Ｎ（Ｎは正の整数である）個の候補ビームの指示情報、および／または、Ｎ個の候補ビームのそれぞれに対応する送信許可信号の送信時間情報を含む。
【００１８】
一可能な実施形態において、前記Ｎ個の候補ビームにおける各候補ビームの指示情報は、前記各候補ビームとの準コロケーション（ＱＣＬ）関係を満たす参考信号の信号インデックスを含む。
【００１９】
一可能な実施形態において、前記Ｎ個の候補ビームにおける各候補ビームに対応する送信許可信号の送信時間は、前記各候補ビームを使用して送信許可信号を送信すると仮定する場合に占有する時間を含む。
【００２０】
一可能な実施形態において、前記受信ノードが前記送信許可信号を前記送信ノードに送信する前に、前記方法は、前記受信ノードが、参照信号に対して信号測定を実行することにより取得された測定結果、および／または、ビームに対してキャリアセンシングを実行することにより取得されたセンシング結果に従って、前記Ｎ個の候補ビームにおいてターゲットビームを選択することをさらに含み、ここで、前記受信ノードが前記送信許可信号を前記送信ノードに送信することは、前記受信ノードが前記ターゲットビームを使用して前記送信許可信号を前記送信ノードに送信することを含む。
【００２１】
一可能な実施形態において、前記ターゲットビームは、前記Ｎ個の候補ビームのうち、チャネルがアイドル状態であることがセンシングされるビーム、または、前記Ｎ個の候補ビームのうち、最適な参考信号の測定結果を有するビーム、または、前記チャネルがアイドル状態であることがセンシングされるビーム中最適な参考信号の測定結果を有するビームである。
【００２２】
2021517758.tif 000005
【００２３】
一可能な実施形態において、前記受信ノードが、前記構成情報に従って、前記送信許可信号を前記送信ノードに送信することは、前記受信ノードが、ターゲットビームに対応する送信許可信号の送信時間内で、前記ターゲットビームを使用して前記送信許可信号を前記送信ノードに送信することを含む。
【００２４】
2021517758.tif 000006
【００２５】
一可能な実施形態において、前記受信ノードが、前記構成情報に従って、前記送信許可信号を前記送信ノードに送信することは、前記受信ノードが、前記重複する送信許可信号の送信時間内で、ターゲットビームを使用して前記送信許可信号を前記送信ノードに送信することを含む。
【００２６】
第３態様によれば、送信ノード機器を提供し、当該送信ノード機器は、上記した第１態様または第１態様の任意の例示的な実施形態における送信ノードの操作を実行することができる。具体的に、当該端末機器は、上記した第１態様または第１態様の任意の可能な実施形態における送信ノードの操作を実行するように構成されるモジュールユニットを備えることができる。
【００２７】
第４態様によれば、受信ノード機器を提供し、当該受信ノード機器は、上記した第１態様または第１態様の任意の例示的な実施形態における受信ノードの操作を実行することができる。具体的に、当該ネットワーク機器は、第２態様または第２態様の任意の可能な実現形態における受信ノードの操作を実行するように構成されたモジュールユニットを備えることができる。
【００２８】
第５態様によれば、送信ノード機器を提供し、当該送信ノード機器は、プロセッサ、トランシーバおよびメモリを備える。ここで、当該プロセッサ、当該トランシーバおよび当該メモリの間は、内部接続パスを介してお互いに通信する。当該メモリは、命令を記憶するように構成され、当該プロセッサは、当該メモリに記憶された命令を実行するように構成される。当該プロセッサが当該メモリに記憶された命令を実行する場合、当該実行により、当該送信ノード機器が、第１態様または第１態様の任意の可能な実施形態における方法を実行し、または当該実行により、当該送信ノード機器が第２態様で提供される送信ノード機器を実現する。
【００２９】
第６態様によれば、受信ノード機器を提供し、当該受信ノード機器は、プロセッサ、トランシーバおよびメモリを備える。ここで、当該プロセッサ、当該トランシーバおよび当該メモリの間は、内部接続パスを介してお互いに通信する。当該メモリは、命令を記憶するように構成され、当該プロセッサは、当該メモリに記憶された命令を実行するように構成される。当該プロセッサが当該メモリに記憶された命令を実行する場合、当該実行により、当該受信ノード機器が、第２態様または第２態様の任意の可能な実施形態における方法を実行し、または当該実行により、当該受信ノード機器が第２態様で提供される受信ノード機器を実現する。
【００３０】
第７態様によれば、システムチップを提供し、当該システムチップは、入力インターフェース、出力インターフェース、プロセッサおよびメモリを備え、当該プロセッサは、当該メモリに記憶された命令を実行するように構成され、当該命令が実行されるとき、当該プロセッサは、前述の第１態様または第１態様の任意の可能な実施形態における方法を実現することができる。
【００３１】
第８態様によれば、システムチップを提供し、当該システムチップは、入力インターフェース、出力インターフェース、プロセッサおよびメモリを備え、当該プロセッサは、当該メモリによって記憶された命令を実行するように構成され、当該命令が実行されるとき、当該プロセッサは、前述の第２態様または第２態様の任意の可能な実施形態における方法を実現することができる。
【００３２】
第９態様によれば、命令を含むコンピュータプログラム製品を提供し、前記コンピュータプログラム製品がコンピュータで実行されるとき、当該コンピュータが上記した第１態様または第１態様の任意の可能な実現形態における方法を実行するようにする。
【００３３】
第十態様によれば、命令を含むコンピュータプログラム製品を提供し、前記コンピュータプログラム製品がコンピュータで実行されるとき、当該コンピュータが上記した第２態様または第２態様の任意の可能な実現形態における方法を実行するようにする。
【図面の簡単な説明】
【００３４】
【図１】本出願の実施例に適用される無線通信システムの概略図である。
【図２】本出願の実施例の信号伝送方法の相互作用のフローチャートである。
【図３】本出願の実施例の送信許可信号の送信時間の概略図である。
【図４】本出願の実施例の送信許可信号の送信時間の概略図である。
【図５】本出願の実施例の送信ノード機器の例示的なブロック図である。
【図６】本出願の実施例の受信ノード機器の例示的なブロック図である。
【図７】本出願の実施例の通信機器の例示的な構造図である。
【図８】本出願の実施例のシステムチップの例示的な構造図である。
【発明を実施するための形態】
【００３５】
本出願の実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは将来の５Ｇシステムなど、様々な通信システムに適用することができる。
【００３６】
図１は、本出願の実施例に適用される無線通信システム１００を示す。当該無線通信システム１００は、ネットワーク機器１１０を備えることができる。ネットワーク機器１００は、端末機器通信と通信する機器であってもよい。ネットワーク機器１００は、特定の地理的エリアに通信カバレッジを提供することができ、さらに、当該カバレッジエリア内に位置する端末機器（例えば、ＵＥなど）と通信することができる。例示的に、当該ネットワーク機器１００は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、さらに、ＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、未来の５Ｇネットワークのネットワーク側の機器、または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００３７】
当該無線通信システム１００は、ネットワーク機器１１０のカバレッジ範囲内に位置する、端末機器１２１および端末機器１２２などの少なくとも１つの端末機器をさらに備える。端末機器１２１および端末機器１２２は、移動式または固定式であってもよい。例示的に、端末機器１２１および端末機器１２２は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび未来の５Ｇネットワークの端末機器または未来進化のＰＬＭＮの端末機器などであり得る。ここで、例示的に、端末機器１２１と端末機器１２２との間は、端末対端末（Ｄ２Ｄ：Ｄｅｖｉｃｅ  ｔｏ  Ｄｅｖｉｃｅ）通信を実行することもできる。
【００３８】
図１は、１つのネットワーク機器および２つの端末機器を例示的に示し、例示的に、当該無線通信システム１００は、複数のネットワーク機器を備えることができ、各ネットワーク機器のカバレッジエリアは他の数の端末機器を備えることもでき、本出願の実施例はこれらに対して限定しない。
【００３９】
例示的に、当該無線通信システム１００は、ネットワークコントローラ、モバイル管理エンティティなどの他のネットワークエンティティをさらに備えることができ、本出願の実施例は、これらに対して限定しない。
【００４０】
５Ｇシステムでは、データ伝送に使用される周波数帯域は、ＬＴＥで使用される周波数帯域よりも高いため、無線信号伝送のパス損失が大きくなり、無線信号のカバレッジが小さくなる。したがって、５Ｇシステムでは、無線信号のゲインを増加するためのビームフォーミング（ｂｅａｍｆｏｒｍｉｎｇ）技術が提案されており、それにより無線信号のゲインを上げて、、パス損失を補う。具体的には、基地局が信号を端末機器に送信するために使用するビームは方向性を有し、異なるビームは、実際には、異なる発射方向に対応し、各狭いビームは、セルの全てのエリアをカバーすることができず、カバレッジエリアの一部のみをカバーすることができる。例えば、図１に示されたように、図１は、即ち、ビームＢ１、ビームＢ２、ビームＢ３およびビームＢ４の４つの異なる方向のビームを示し、基地局は、４つの異なる方向のビームを介して信号を端末機器に送信することができる。ビームＢ１およびビームＢ２において、端末機器１２２をカバーすることができず、端末機器１２１のみをカバーすることができ、ビームＢ３およびビームＢ４は、端末機器１２１をカバーすることができず、端末機器１２２のみをかバスすることができる。基地局は、ビームＢ１およびビームＢ２を介して信号を端末機器１２１に送信し、ビームＢ３およびビームＢ４を介して信号を端末機器１２２に送信することができる。
【００４１】
以下では、本出願の実施例に係る無認可周波数帯域（ｕｎｌｉｃｅｎｓｅｄ  ｆｒｅｑｕｅｎｃｙ  ｂａｎｄｓ）でのリッスンビフォアトーク（ＬＢＴ：Ｌｉｓｔｅｎ  Ｂｅｆｏｒｅ  Ｔａｌｋ）メカニズム、および無認可周波数帯域で動作するワイパイ（ＷｉＦｉ：Ｗｉｒｅｌｅｓｓ  Ｆｉｄｅｌｉｔｙｉ）システムにおける送信要求（ＲＴＳ：Ｒｅｑｕｅｓｔ−Ｔｏ−Ｓｅｎｄ）／送信クリア（ＣＴＳ：Ｃｌｅａｒ−Ｔｏ−Ｓｅｎｄ）メカニズムを簡単に説明する。
【００４２】
５Ｇシステムは、無認可周波数帯域（ｕｎｌｉｃｅｎｓｅｄ  ｆｒｅｑｕｅｎｃｙ  ｂａｎｄｓ）でのデータ伝送をサポートする。無認可周波数帯域を使用してデータ伝送を実行することは、リッスンビフォアトーク（ＬＢＴ：Ｌｉｓｔｅｎ  Ｂｅｆｏｒｅ  Ｔａｌｋ）メカニズムに基づいている。即ち、送信ノードは、データを送信する前に、チャネルがアイドル状態であるかどうかをセンシングする必要があり、チャネルがアイドル状態であると決定するのみ、データを送信することができる。
【００４３】
さらに、無認可周波数帯域で動作するワイパイ（ＷｉＦｉ：Ｗｉｒｅｌｅｓｓ  Ｆｉｄｅｌｉｔｙ）システムにおいて、非表示ノードの問題を解決するために、送信要求（ＲＴＳ：Ｒｅｑｕｅｓｔ−Ｔｏ−Ｓｅｎｄ）／送信クリア（ＣＴＳ：Ｃｌｅａｒ−Ｔｏ−Ｓｅｎｄ）メカニズムが提案される。非表示端末（Ｈｉｄｄｅｎ  Ｓｔａｔｉｏｎｓ）とは、基地局Ａが信号を基地局Ｂに送信し、基地局Ｃが基地局Ａをセンシングしなかった場合、基地局Ｂにも送信することができるため、基地局Ａと基地局Ｃは、信号を基地局Ｂに同時に送信することにより、信号の衝突を引き起こし、最終的に、基地局Ｂに伝送する信号を全部失う可能性がある。この場合、ＲＴＳ／ＣＴＳメカニズムを介してこの問題を解決することができる。ＲＴＳ／ＣＴＳを使用する場合、同時に伝送可能なバイト数の上限を設定し、伝送されるデータが前記上限値を超えると、ＲＴＳ／ＣＴＳハンドシェイクプロトコルを開始させる。まず、基地局ＡはＲＴＳ信号を基地局Ｂに送信することは、基地局Ａがいくつかのデータを基地局Ｂに送信しようとすることを示し、基地局ＢがＲＴＳ信号を受信した後にＣＴＳ信号を送信することは、準備を整えたことを示し、基地局Ａはデータを送信することができ、データを基地局Ｂに伝送しようとする残りの基地局は、基地局Ｂへのデータ送信を一時停止する。このようにして、両方は、ＲＴＳ／ＣＴＳ信号を交換した（即ち、ハンドシェイクを完了している）後に、実際のデータ転送を開始することにより、互いに不可視の複数の送信ノードが信号を同じ受信ノードに同時に送信する場合、実際には、受信ノードからのＣＴＳ信号を受信したノードのみが、データを受信ノードに伝送することができ、それにより、衝突を回避する。
【００４４】
送信ノードは、受信ノードから返信されたＣＴＳ信号を受信したときにのみ、受信ノードとデータを伝送することができる。したがって、送信ノードと受信ノード間の信号伝送効率を向上させる方法は、解決しようとする課題である。
【００４５】
本出願の実施例では、送信ノードは、送信要求信号を受信ノードに送信する場合、送信許可信号を伝送するために使用される構成情報を搬送することにより、受信ノードが当該構成情報に基づいて当該送信許可信号を送信ノードに送信することができ、且つ送信ノードが当該構成情報に基づいて当該送信許可信号を検出することができるようにし、それにより、送信ノードと受信ノードの間の信号伝送効率を向上させる。
【００４６】
本出願の実施例では、信号を受信するために使用されるビームは、信号を受信するために使用される空間ドメイン受信フィルタ（Ｓｐａｔｉａｌ  ｄｏｍａｉｎ  ｒｅｃｅｐｔｉｏｎ  ｆｉｌｔｅｒ）として理解されることができ、信号を送信するために使用されるビームは、信号を送信するために使用される空間ドメイン伝送フィルタ（Ｓｐａｔｉａｌ  ｄｏｍａｉｎ  ｔｒａｎｓｍｉｓｓｉｏｎ  ｆｉｌｔｅｒ）として理解されることができることを理解されたい。同じ空間ドメイン受信フィルタを使用して送信された２つの信号において、空間受信パラメータに対する前記２つの信号がアジコロケイティッド（ＱＣＬ：Ｑｕａｓｉ−Ｃｏ−Ｌｏｃａｔｅｄ）であると称し得る。
【００４７】
図２は、本出願の実施例の信号伝送方法のフローチャートである。図２に示された送信ノードおよび受信ノードは、例えば、図１に示されたネットワーク機器１１０、端末機器１２１または端末機器１２２であってもよい。図２に示された方法２００は、例えば、無認可周波数帯域に適用することができる。図２に示されたように、当該信号伝送方法は、次の内容の一部または全てを含み得る。
【００４８】
ステップＳ２１０において、送信ノードは、送信要求信号を受信ノードに送信する。
【００４９】
ステップＳ２２０において、受信ノードは、送信ノードによって送信された送信要求信号を受信する。
【００５０】
ここで、当該送信要求信号は、送信許可信号を伝送するために使用される構成情報を含む。
【００５１】
例示的に、当該送信要求信号は、少なくとも、当該受信ノードとのデータ伝送を要求するために使用される。例えば、受信ノードのアドレス、データフレームの時間、ＡＣＫの送信時間などを含む。当該送信要求信号は、さらに、他のコンテンツを搬送し、または、他の機能を有することができ、ここではこれらに対して限定しない。
【００５２】
例示的に、当該送信許可信号は、少なくとも、当該送信ノードと当該受信ノードとのチャネル伝送の実行を許可することを指示するために使用され、または、他のノードと当該受信ノードとのデータ伝送の実行を禁止することを指示するためにも使用される。当該送信許可信号、さらに、他のコンテンツを搬送し、または、他の機能を有することができ、ここではこれらに対して限定しない。
【００５３】
特に、ＷＩＦＩシステムにおいて、当該送信要求信号はＲＴＳ信号であり、当該送信許可信号はＣＴＳ信号である。
【００５４】
例示的に、当該構成情報は、Ｎ（Ｎは正の整数である）個の候補ビームの指示情報、および／または、Ｎ個の候補ビームのそれぞれに対応する送信許可信号の送信時間情報を含む。
【００５５】
当該Ｎ個の候補ビームにおける各候補ビームの指示情報は、例えば、当該各候補ビームとの準コロケーション（ＱＣＬ）関係を満たす参考信号の信号インデックスを含み得る。
【００５６】
当該Ｎ個の候補ビームにおける各候補ビームに対応する送信許可信号の送信時間は、例えば、当該各候補ビームを使用して送信許可信号を送信すると仮定する場合に占有する時間を含み得る。
【００５７】
当該Ｎ個の候補ビームに対応するＮ個の送信許可信号の送信時間間は重複してもよく、または重複しなくてもよく、以下、これらの２つの状況についてそれぞれ説明する。
【００５８】
状況１
例示的に、当該Ｎ個の候補ビームに対応するＮ個の送信許可信号の送信時間はそれぞれ重複しない。
【００５９】
2021517758.tif 000007
【００６０】
2021517758.tif 000008
【００６１】
2021517758.tif 000009
【００６２】
例示的に、状況１において、当該受信ノードは、同じ時間で１つのビームを使用して送信および受信する機能のみを備え、状況２において、当該受信ノードは、同じ時間で複数のビームを使用して送信および受信する機能のみを備える。
【００６３】
ステップＳ２３０において、当該受信ノードは、当該構成情報に従って、当該送信許可信号を当該送信ノードに送信する。
【００６４】
例示的に、当該受信ノードは、参照信号に対して信号測定を実行することにより取得された測定結果、および／または、ビームに対してキャリアセンシング（または称ビームセンシング、チャネルセンシング、センシング等）を実行することにより取得されたセンシング結果に従って、当該Ｎ個の候補ビームにおいてターゲットビームを選択し、それにより、当該ターゲットビームを使用して当該送信ノードに送信することができる。
【００６５】
ここで、当該ターゲットビームは、当該個の候補ビームのうち、チャネルがアイドル状態であることがセンシングされるビーム、または、当該Ｎ個の候補ビームのうち、最適な参考信号の測定結果を有するビーム、または、当該チャネルがアイドル状態であることがセンシングされるビーム中最適な参考信号の測定結果を有するビームなどであってもよい。
【００６６】
端末機器は、特定のビームでチャネルがアイドル状態であることをセンシングし、例えば、当該ビーム上で送信される参考信号の電力がプリセットの閾値より小さい場合、当該ビーム上のチャネルがアイドル状態であると見なすことができる。
【００６７】
例示的に、状況１において、Ｎ個の候補ビームに対応するＮ個の送信許可信号の送信時間がそれぞれ重複しない場合であり、ステップＳ２３０において、当該受信ノードが、当該構成情報に従って、当該送信許可信号を当該送信ノードに送信することは、当該受信ノードが、ターゲットビームに対応する送信許可信号の送信時間内で、当該ターゲットビームを使用して当該送信許可信号を当該送信ノードに送信することを含む。
【００６８】
例示的に、状況２において、即ち、Ｎ個の候補ビームに対応するＮ個の送信許可信号の送信時間が重複する場合であり、ステップＳ２３０において、当該受信ノードが、当該構成情報に従って、当該送信許可信号を当該送信ノードに送信することは、当該受信ノードが、当該重複する送信許可信号の送信時間内で、ターゲットビームを使用して当該送信許可信号を当該送信ノードに送信することを含む。
【００６９】
ステップＳ２４０において、当該送信ノードは、当該受信ノードが当該構成情報に従って送信した当該送信許可信号を受信する。
【００７０】
状況１において、例示的に、当該送信ノードが、当該受信ノードが当該構成情報に従って送信した送信許可信号を受信することは、当該送信ノードが、当該Ｎ個の送信許可信号の送信時間のシーケンスに応じて、順次に当該Ｎ個の送信許可信号の送信時間に対応するＮ個の候補ビーム上で、送信許可信号が検出されるまで、または、当該Ｎ個の送信許可信号の送信時間における最後の送信許可信号の送信時間が終了する前に送信許可信号が検出されるまで、当該送信許可信号を検出することを含む。
【００７１】
状況２において、例示的に、当該送信ノードが、当該受信ノードが当該構成情報に従って送信した送信許可信号を受信することは、当該送信ノードが、当該重複する送信許可信号の送信時間内で、同時に当該Ｎ個の候補ビーム上で当該送信許可信号を検出することを含む。
【００７２】
本出願の様々な実施例において、上述の各プロセスの番号の大きさは実行する前後順番を意味せず、各プロセスの実行順番は、その機能と内部論理によって決定されるべきであり、本出願の実施例の実施プロセスに対してあらゆる限定を構成してはならないことを理解されたい。
【００７３】
以上、本出願の実施例に係る信号伝送方法について詳細に説明したが、以下、本出願の実施例に係る装置について、図５ないし図８を参照して説明し、方法の実施例に記載の技術的特徴は、以下の装置の実施例に適用可能である。
【００７４】
図５は、本出願の実施例に係る送信ノード機器５００の例示的なブロック図である。図５に示されたように、当該送信ノード機器５００は、送受信ユニット５１０を備え、前記送受信ユニットは、
送信要求信号を受信ノード機器に送信し、前記送信要求信号は、送信許可信号を伝送するために使用される構成情報を含み、前記受信ノード機器が前記構成情報に従って送信された前記送信許可信号を受信するように構成される。
【００７５】
したがって、送信ノード機器は、送信要求信号を受信ノード機器に送信する場合、送信許可信号を伝送するために使用される構成情報を搬送することにより、受信ノード機器が当該構成情報に基づいて当該送信許可信号を送信ノード機器に送信することができ、且つ送信ノード機器が当該構成情報に基づいて当該送信許可信号を検出することができるようにし、それにより、送信ノード機器と受信ノード機器の間の信号伝送効率を向上させる。
【００７６】
例示的に、前記送信要求信号は、少なくとも、前記受信ノード機器とのデータ伝送の実行を要求するために使用され、前記送信許可信号は、少なくとも、前記送信ノード機器と前記受信ノード機器とのデータ伝送の実行を許可することを指示する。
【００７７】
例示的に、前記構成情報は、Ｎ個の候補ビームの指示情報、および／または、Ｎ個の候補ビームのそれぞれに対応する送信許可信号の送信時間情報を含む。
【００７８】
例示的に、前記Ｎ個の候補ビームにおける各候補ビームの指示情報は、前記各候補ビームとの準コロケーション（ＱＣＬ）関係を満たす参考信号の信号インデックスを含む。
【００７９】
例示的に、前記Ｎ個の候補ビームにおける各候補ビームに対応する送信許可信号の送信時間は、前記各候補ビームを使用して送信許可信号を送信すると仮定する場合に占有する時間を含む。
【００８０】
2021517758.tif 000010
【００８１】
例示的に、前記送受信ユニット５１０は、具体的に前記Ｎ個の送信許可信号の送信時間のシーケンスに応じて、順次に前記Ｎ個の送信許可信号の送信時間に対応するＮ個の候補ビーム上で、送信許可信号が検出されるまで、または、前記Ｎ個の送信許可信号の送信時間における最後の送信許可信号の送信時間が終了する前に送信許可信号が検出されるまで、前記送信許可信号を検出するように構成される。
【００８２】
2021517758.tif 000011
【００８３】
例示的に、前記送受信ユニット５１０は、具体的に、前記重複する送信許可信号の送信時間内で、同時に前記Ｎ個の候補ビーム上で前記送信許可信号を検出するように構成される。
【００８４】
当該送信ノード機器５００は、上述した方法２００において送信ノードによって実行される対応する操作を実行することができ、簡潔にするために、ここでは繰り返して説明しないことを理解されたい。
【００８５】
図６は、本出願の実施例に係る受信ノード機器６００の例示的なブロック図である。図６に示されたように、当該ネットワーク機器６００は、送受信ユニット６１０を備え、前記送受信ユニットは、
送信ノード機器によって送信された送信要求信号を受信し、前記送信要求信号は、送信許可信号を伝送するために使用される構成情報を含み、前記構成情報に従って、前記送信許可信号を前記送信ノード機器に送信するように構成される。
【００８６】
したがって、送信ノード機器は、送信要求信号を受信ノード機器に送信する場合、送信許可信号を伝送するために使用される構成情報を搬送することにより、受信ノード機器が当該構成情報に基づいて当該送信許可信号を送信ノード機器に送信することができ、且つ送信ノード機器が当該構成情報に基づいて当該送信許可信号を検出することができるようにし、それにより、送信ノード機器と受信ノード機器の間の信号伝送効率を向上させる。
【００８７】
例示的に、前記送信要求信号は、少なくとも、前記受信ノード機器とのデータ伝送の実行を要求するために使用され、前記送信許可信号は、少なくとも、前記送信ノード機器と前記受信ノード機器とのデータ伝送の実行を許可することを指示する。
【００８８】
例示的に、前記構成情報は、Ｎ個の候補ビームの指示情報、および／または、Ｎ個の候補ビームのそれぞれに対応する送信許可信号の送信時間情報（Ｎは正の整数である）を含む。
【００８９】
例示的に、前記Ｎ個の候補ビームにおける各候補ビームの指示情報は、前記各候補ビームとの準コロケーション（ＱＣＬ）関係を満たす参考信号の信号インデックスを含む。
【００９０】
例示的に、前記Ｎ個の候補ビームにおける各候補ビームに対応する送信許可信号の送信時間は、前記各候補ビームを使用して送信許可信号を送信すると仮定する場合に占有する時間を含む。
【００９１】
例示的に、前記受信ノード機器は、参照信号に対して信号測定を実行することにより取得された測定結果、および／または、ビームに対してキャリアセンシングを実行することにより取得されたセンシング結果に従って、前記Ｎ個の候補ビームにおいてターゲットビームを選択するように構成される処理ユニット６２０をさらに備え、
ここで、前記送受信ユニット６１０は、具体的に、前記ターゲットビームを使用して前記送信許可信号を前記送信ノード機器に送信するように構成される。
【００９２】
例示的に、前記ターゲットビームは、前記Ｎ個の候補ビームのうち、チャネルがアイドル状態であることがセンシングされるビーム、または、前記Ｎ個の候補ビームのうち、最適な参考信号の測定結果を有するビーム、または、前記チャネルがアイドル状態であることがセンシングされるビーム中最適な参考信号の測定結果を有するビームである。
【００９３】
2021517758.tif 000012
【００９４】
例示的に、前記送受信ユニット６１０は、具体的に、ターゲットビームに対応する送信許可信号の送信時間内で、前記ターゲットビームを使用して前記送信許可信号を前記送信ノードに送信するように構成される。
【００９５】
2021517758.tif 000013
【００９６】
例示的に、前記送受信ユニット６１０は、具体的に、前記重複する送信許可信号の送信時間内で、ターゲットビームを使用して前記送信許可信号を前記送信ノード機器に送信するように構成される。
【００９７】
当該受信ノード機器６００は、上述した方法２００において受信ノードによって実行される対応する操作を実行することができ、簡潔にするために、ここでは繰り返して説明しないことを理解されたい。
【００９８】
図７は、本出願の実施例に係る通信機器７００の例示的な構造図である。図７に示されるように、当該通信機器は、プロセッサ７１０と、トランシーバ７２０と、メモリ７３０とを備え、ここで、当該プロセッサ７１０、トランシーバ７２０およびメモリ７３０の間は、内部接続パスを介してお互いに通信する。当該メモリ７３０は、命令を記憶するように構成され、当該プロセッサ７１０は、当該トランシーバ７２０による信号の送受信を制御するために、当該メモリ７３０に記憶された命令を実行するように構成される。
【００９９】
例示的に、当該プロセッサ７１０は、メモリ７３０に記憶されたプログラムコードを呼び出して、方法２００において送信ノードによって実行される対応する動作を実行でき、簡潔にするために、ここでは再び説明しないことを理解されたい。
【０１００】
例示的に、当該プロセッサ７１０は、メモリ７３０に記憶されたプログラムコードを呼び出して、方法２００において受信ノードによって実行される対応する動作を実行でき、簡潔にするために、ここでは再び説明しないことを理解されたい。
【０１０１】
本出願の実施例におけるプロセッサは、信号の処理能力を備えた集積回路チップであり得ることを理解されたい。実現プロセスにおいて、上記した方法の実施例の各ステップは、プロセッサにおけるハードウェアの集積論理回路またはソフトウェアの形の命令によって完了されることができる。上述のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本開示の実施例で開示された各方法、ステップおよび論理ブロック図を実現または実行することができる。汎用プロセッサは、マイクロプロセッサであってもよく、または当該プロセッサは任意の従来のプロセッサなどであってもよい。本出願の実施例を組み合せて開示された方法のステップは、直接に、ハードウェア復号化プロセッサによって実行されて完了すると具現されることができ、または復号化プロセッサにおけるハードウェアおよびソフトウェアモジュールの組み合わせによって実行して完了する。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体はメモリに配置され、プロセッサはメモリにおける情報を読み取り、そのハードウェアと組み合わせて前記方法のステップを完了する。
【０１０２】
本出願の実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭが利用可能である。本出願で説明されるシステムおよび方法のメモリは、これらおよび任意の他の適切なタイプのメモリを備えるが、これに限定されないことを意図することに留意されたい。
【０１０３】
図８は、本出願の実施例に係るシステムチップの一例示的な構造図である。図８のシステムチップ８００は、入力インタフェース８０１と、出力インタフェース８０２と、少なくとも１つのプロセッサ８０３と、メモリ８０４とを備え、前記入力インタフェース８０１、出力インタフェース８０２、前記プロセッサ８０３およびメモリ８０４の間は、内部接続パスを介してお互いに接続される。前記プロセッサ８０３は、前記メモリ８０４内のコードを実行するように構成される。
【０１０４】
例示的に、前記コードが実行されるとき、前記プロセッサ８０３は、方法２００において送信ノードによって実行される対応する動作を実現でき、簡潔にするために、ここでは再び説明しない。簡潔性のために、ここでは繰り返して説明しない。
【０１０５】
例示的に、前記コード実行されるとき、前記プロセッサ８０３は、方法２００において受信ノードによって実行される対応する動作を実現でき、簡潔にするために、ここでは再び説明しない。簡潔性のために、ここでは繰り返して説明しない。
【０１０６】
本出願の実施例において、「Ａに相応（対応）するＢ」とは、ＢがＡに関連付けられており、Ａに従ってＢを決定できることを示すことを理解されたい。しかしながら、Ａに従ってＢを決定することは、Ａのみに従ってＢを決定することを意味せず、Ａおよび／または他の情報に従ってＢを決定することもできることを理解されたい。
【０１０７】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の実施例の範囲を超えると見なされるべきではない。
【０１０８】
当業者は、説明の便宜上および簡潔にするために、上記に説明されたシステム、装置およびユニットの具体的な作業プロセスは、前述の方法の実施例における対応するプロセスを参照することができることを明確に理解することができ、ここでは繰り返して説明しない。
【０１０９】
本出願で提供されるいくつかの実施例では、開示されたシステム、装置および方法は、他の方法を通じて実現され得ることを理解されたい。例えば、上記で説明された装置の実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１１０】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズに従って、その中のユニットの一部または全部を選択して本実施例の技術案の目的を実現することができる。
【０１１１】
また、本出願の各実施例における各機能ユニットを１つのモニタリングユニットに統合してもよく、各ユニットを別々に１つのユニットとして使用してもよいし、２つ以上のユニットを一つのユニットに統合してもよい。
【０１１２】
前記機能は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１１３】
上記した内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021517758.tif 000021
【図２】
2021517758.tif 000022
【図３】
2021517758.tif 000023
【図４】
2021517758.tif 000024
【図５】
2021517758.tif 000025
【図６】
2021517758.tif 000026
【図７】
2021517758.tif 000027
【図８】
2021517758.tif 000028
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
信号伝送方法であって、
送信ノードが送信要求信号を受信ノードに送信することであって、前記送信要求信号は、送信許可信号を伝送するために使用される構成情報を含むことと、
前記送信ノードが、前記受信ノードが前記構成情報に従って送信した前記送信許可信号を受信することとを含む、前記信号伝送方法。
【請求項２】
前記送信要求信号は、少なくとも、前記受信ノードとのデータ伝送の実行を要求するために使用され、前記送信許可信号は、少なくとも、前記送信ノードと前記受信ノードとのデータ伝送の実行を許可することを指示する、
請求項１に記載の信号伝送方法。
【請求項３】
前記構成情報は、Ｎ（Ｎは正の整数である）個の候補ビームの指示情報、および／または、Ｎ個の候補ビームのそれぞれに対応する送信許可信号の送信時間情報を含む、
請求項１または２に記載の信号伝送方法。
【請求項４】
前記Ｎ個の候補ビームにおける各候補ビームの指示情報は、前記各候補ビームとの準コロケーション（ＱＣＬ）関係を満たす参考信号の信号インデックスを含む、
請求項３に記載の信号伝送方法。
【請求項５】
前記Ｎ個の候補ビームにおける各候補ビームに対応する送信許可信号の送信時間は、前記各候補ビームを使用して送信許可信号を送信すると仮定する場合に占有する時間を含む、
請求項３または４に記載の信号伝送方法。
【請求項６】
2021517758.tif 000029
【請求項７】
前記送信ノードが、前記受信ノードが前記構成情報に従って送信した送信許可信号を受信することは、
前記送信ノードが、前記Ｎ個の送信許可信号の送信時間のシーケンスに応じて、順次に前記Ｎ個の送信許可信号の送信時間に対応するＮ個の候補ビームで、送信許可信号が検出されるまで、または、前記Ｎ個の送信許可信号の送信時間における最後の送信許可信号の送信時間が終了する前に送信許可信号が検出されるまで、前記送信許可信号を検出することを含む、
請求項６に記載の信号伝送方法。
【請求項８】
信号伝送方法であって、
受信ノードが、送信ノードによって送信された送信要求信号を受信することであって、前記送信要求信号は、送信許可信号を伝送するために使用される構成情報を含むことと、
前記受信ノードが、前記構成情報に従って、前記送信許可信号を前記送信ノードに送信することとを含む、前記信号伝送方法。
【請求項９】
前記構成情報は、Ｎ（Ｎは正の整数である）個の候補ビームの指示情報、および／または、Ｎ個の候補ビームのそれぞれに対応する送信許可信号の送信時間情報を含む、
請求項８に記載の信号伝送方法。
【請求項１０】
前記受信ノードが前記送信許可信号を前記送信ノードに送信する前に、前記方法は、
前記受信ノードが、参照信号に対して信号測定を実行することにより取得された測定結果、および／または、ビームに対してキャリアセンシングを実行することにより取得されたセンシング結果に従って、前記Ｎ個の候補ビームにおいてターゲットビームを選択することをさらに含み、
前記受信ノードが、前記送信許可信号を前記送信ノードに送信することは、
前記受信ノードが、前記ターゲットビームを使用して前記送信許可信号を前記送信ノードに送信することを含む、
請求項８または９に記載の信号伝送方法。
【請求項１１】
2021517758.tif 000030
【請求項１２】
前記受信ノードが、前記構成情報に従って、前記送信許可信号を前記送信ノードに送信することは、
前記受信ノードが、ターゲットビームに対応する送信許可信号の送信時間内で、前記ターゲットビームを使用して前記送信許可信号を前記送信ノードに送信することを含む、
請求項１１に記載の信号伝送方法。
【請求項１３】
送信ノード機器であって、
送信要求信号を受信ノード機器に送信するように構成される送受信ユニットを備え、前記送信要求信号は、送信許可信号を伝送するために使用される構成情報を含み、
前記送受信ユニットは、さらに、前記受信ノード機器が前記構成情報に従って送信した前記送信許可信号を受信するように構成される、前記送信ノード機器。
【請求項１４】
前記構成情報は、Ｎ（Ｎは正の整数である）個の候補ビームの指示情報、および／または、Ｎ個の候補ビームのそれぞれに対応する送信許可信号の送信時間情報を含む、
請求項１３に記載の送信ノード機器。
【請求項１５】
2021517758.tif 000031
【請求項１６】
前記送受信ユニットは、具体的に、
前記重複する送信許可信号の送信時間内で、同時に前記Ｎ個の候補ビーム上で前記送信許可信号を検出するように構成される、
請求項１５に記載の送信ノード機器。
【請求項１７】
受信ノード機器であって、
送信ノード機器によって送信された送信要求信号を受信するように構成される送受信ユニットを備え、前記送信要求信号は、送信許可信号を伝送するために使用される構成情報を含み、
前記送受信ユニットは、さらに、前記構成情報に従って、前記送信許可信号を前記送信ノード機器に送信するように構成される、前記受信ノード機器。
【請求項１８】
前記構成情報は、Ｎ（Ｎは正の整数である）個の候補ビームの指示情報、および／または、Ｎ個の候補ビームのそれぞれに対応する送信許可信号の送信時間情報を含む、
請求項１７に記載の受信ノード機器。
【請求項１９】
前記Ｎ個の候補ビームに対応するＮ個の送信許可信号の送信時間は重複し、且つ前記重複する送信許可信号の送信時間と送信要求信号の送信時間との間の時間間隔はＴ１である、
請求項１８に記載の受信ノード機器。
【請求項２０】
前記送受信ユニットは、具体的に、
前記重複する送信許可信号の送信時間内で、ターゲットビームを使用して前記送信許可信号を前記送信ノード機器に送信するように構成される、
請求項１９に記載の受信ノード機器。
【国際調査報告】
2021517758.tif 000032
2021517758.tif 000033
2021517758.tif 000034
2021517758.tif 000035